(57)【要約】【課題】  天井等の設置面に設置される撮像装置であって、美観を損なうことなく、小型化及びコストダウンの両立に有利であるとともに、装置の設置作業性の向上及び外部記憶媒体の着脱作業性の向上を両立させた撮像装置を提供する。【解決手段】  着脱可能なＲＪ４５ケーブル３０５が挿通された設置面に設置される監視カメラ１であって、前記設置面に設置される底面部１０１−ａであって第一の開口部１０１−ｃが設けられた底面部１０１−ａと、底面部１０１−ａとは異なる側面部１０１−ｂであって第二の開口部１０１−ｄが設けられた側面部１０１−ｂと、を備え、第一の開口部１０１−ｃは、ＲＪ４５ケーブル３０５を着脱可能なＲＪ４５コネクタ２０３−ａ１を露出させ、第二の開口部１０１−ｄは、外部記憶媒体２０２−ａ１を着脱可能なスロットを露出させることを特徴とする監視カメラ１。【選択図】  図２
2014239394.tif 000002
【特許請求の範囲】
【請求項１】
着脱可能な外部ケーブルが挿通された設置面に設置される撮像装置であって、
前記設置面に設置される底面部であって第一の開口部が設けられた底面部と、
第二の開口部が設けられ、前記底面部とは異なる側面部と、
を備え、
前記第一の開口部は、前記外部ケーブルを着脱可能なコネクタを露出させ、
前記第二の開口部は、外部記憶媒体を着脱可能なスロットを露出させることを特徴とする撮像装置。
【請求項２】
前記底面部は、前記設置面と平行であり、
前記側面部は、前記設置面と垂直であることを特徴とする請求項１に記載の撮像装置。
【請求項３】
前記コネクタが実装された第一のプリント基板と、
前記スロットが実装された第二のプリント基板と、
を更に備え、
前記第一のプリント基板は、前記設置面と垂直に配設され、
前記第二のプリント基板は、前記設置面と平行に配設されたことを特徴とする請求項２に記載の撮像装置。
【請求項４】
被写体を撮像して映像データを出力する撮像手段と、
前記撮像手段をパン方向に回転させるパン回転手段と、
前記撮像手段と前記第一のプリント基板とを接続する電気的接続部と、
を更に備え、
前記電気的接続部は、前記撮像手段のパン方向の回転に連れて移動し、
前記第二のプリント基板は、前記電気的接続部が移動する範囲の外に位置することを特徴とする請求項３に記載の撮像装置。
【請求項５】
前記電気的接続部は、ＬＡＮケーブルであることを特徴とする請求項１乃至４のいずれか１項に記載の撮像装置。
【請求項６】
前記第二の開口部を覆うカバー部材を更に備え、
前記カバー部材は、弾性体であることを特徴とする請求項１乃至５のいずれか１項に記載の撮像装置。
【発明の詳細な説明】
【技術分野】
【０００１】
本発明は、天井等の設置面に設置される撮像装置に関する。
【背景技術】
【０００２】
近年、画像を遠隔的にモニタリングできる監視カメラに於いて、小型化、設置作業の容易化、操作性向上、設置場所との親和性向上等のニーズが急速に高まっている。また、これまで、このようなニーズに沿うべく種々の課題解決の為の形態が検討されている。
【０００３】
しかしながら、このようなニーズを同時に解決する為の課題は、今もなお存在している。例えば、小型化と操作性向上や、小型化と設置場所との親和性向上は、言わばトレードオフの関係にある。
【０００４】
特許文献１には、通信用のコネクタ、映像信号出力用のコネクタ及び電源供給用のコネクタ等が設けられた監視カメラ装置が開示されている。これらのコネクタは、監視カメラ装置のカメラ本体の背面に設けられている。そして、監視カメラ装置には、これらのコネクタに接続されるケーブル類を収容する樹脂製のケーブル収容ケースが配置されている。
【０００５】
これにより、カメラ本体を天井等の設置面に取り付ける為のカメラ側取付金具及び天井側取付金具への塗装が不要となるのでコストダウンが図れる。その上、ケーブル収容ケースが樹脂製であることによりこのケーブル収容ケース自体への外観処理の自由度が高いので、カメラ本体とのデザイン上の統一感が得やすい。
【０００６】
また、小型機に分類される公知の実施形態に於いては、小型化の為に、監視カメラに於いて必須であるネットワークコネクタ（以下、ＲＪ４５コネクタと称する）を、次のように配設する方式が知られている。即ち、この監視カメラのカメラ本体にＲＪ４５コネクタを内蔵することなく、このカメラ本体から略一体的に引き出されたケーブルの末端にＲＪ４５コネクタを配設する、所謂ピッグテイル方式をとったものが知られている。
【０００７】
また、小型機に分類される公知の実施形態の中には、不揮発性メモリ等の外部記憶媒体を装置本体に着脱可能な監視カメラも知られている。
【先行技術文献】
【特許文献】
【０００８】
【特許文献１】特開２００７−１６６３１２号公報
【発明の概要】
【発明が解決しようとする課題】
【０００９】
しかしながら、特許文献１の監視カメラ装置では、コネクタをカメラ本体の側面に設けている。このため、このコネクタに接続されるケーブル類を収容するケーブル収容ケースは、監視カメラ装置を鉛直方向から見て、カメラ本体から外に向けて突出したような形態で配設せざるを得なかった。これは、監視カメラ装置としての美観を損なう要因となってしまっていた。
【００１０】
その上、特許文献１の監視カメラ装置では、カメラ側取付板金、天井側取付金具及びケーブル収容ケースといったカメラ本体以外の設置用パーツが多数必要となるので、コストダウンの足枷となっていた。しかしながら、このような形態で、仮にケーブル収容ケースを廃止しようとすると、ケーブル類を包含するようにカメラ本体そのものを大型化せざるを得ない。
【００１１】
また、小型機に分類される上記公知の実施形態では、例えば天井にこの小型機をする際に、この天井の裏に予め這い回しておいた相手ケーブルの末端と本体から引き出されたピッグテイルケーブルの末端とを天井裏でジョイントする必要があった。その上、ジョイント後にこれらケーブルの取り回しを再度整える必要もあり、一連の設置作業性を損ねる要因となってしまっていた。
【００１２】
更に、ピッグテイル方式の採用による大幅なコストアップ（材料・加工・組立費等）も課題となっていた。
【００１３】
また、外部記憶媒体を着脱可能な小型機に分類される公知の実施形態では、この小型機の筺体内の空間的な制約上、外部記憶媒体の着脱動作の前段操作として、外装の取り外しや、この小型機のカメラ本体の設置面からの取り外し行為が必要であった。このため、ユーザが外部記憶媒体を装着・交換する際の操作性を損ねる形となっていた。
【００１４】
本発明は上記のような点を鑑みてなされたものであり、次のような撮像装置を提供することができるものである。即ち、天井等の設置面に設置される撮像装置であって、美観を損なうことなく、小型化及びコストダウンの両立に有利であるとともに、装置の設置作業性の向上及び外部記憶媒体の着脱作業性の向上を両立させた撮像装置である。
【課題を解決するための手段】
【００１５】
上記目的を達成するために、本発明の撮像装置は、着脱可能な外部ケーブルが挿通された設置面に設置される撮像装置であって、前記設置面に設置される底面部であって第一の開口部が設けられた底面部と、第二の開口部が設けられ、前記底面部とは異なる側面部と、を備え、前記第一の開口部は、前記外部ケーブルを着脱可能なコネクタを露出させ、前記第二の開口部は、外部記憶媒体を着脱可能なスロットを露出させることを特徴とする。
【発明の効果】
【００１６】
本発明によれば、次のような撮像装置を提供することができる。即ち、天井等の設置面に設置される撮像装置であって、美観を損なうことなく、小型化及びコストダウンの両立に有利であるとともに、装置の設置作業性の向上及び外部記憶媒体の着脱作業性の向上を両立させた撮像装置である。
【図面の簡単な説明】
【００１７】
【図１】本発明の実施形態に係る、監視カメラの外観図である。
【図２】本発明の実施形態に係る、監視カメラの設置状態を説明するための図である。
【図３】本発明の実施形態に係る、監視カメラの分解斜視図である。
【図４】本発明の実施形態に係る、監視カメラの分解斜視図である。
【図５】本発明の実施形態に係る、監視カメラの上面図である。
【図６】図５のＡ−Ａ断面図である。
【発明を実施するための形態】
【００１８】
以下、添付図面を参照して、本発明を実施するための形態について説明する。
【００１９】
図１は、本発明を適用した撮像装置であるところの監視カメラ１の外観図である。図１における２点の図は、本実施形態における監視カメラ１を、それぞれ異なる視点から俯瞰したものである。なお、本実施形態における監視カメラ１は、動画像を撮影する監視カメラであり、より詳細には、監視用途に用いられるネットワークカメラであるものとする。
【００２０】
図１に示すように、本実施形態における監視カメラ１は、下カバー１０１、上カバー１０２、及び後述のレンズ鏡筒２０１の前面に配設された透明性を有するドームカバー１０３、から構成される。このドームカバー１０３は、透明又は半透明のプラスチック製のドームであり、半球形状に形成されている。そして、ドームカバー１０３は、上カバー１０２に対して溶着等の手段で保持されている。
【００２１】
上カバー１０２は、円筒状に形成されている。この上カバー１０２は、有底円筒状に形成された下カバー１０１に対して、不図示のネジなどによって固定される。この下カバー１０１は、監視カメラ１の底面部１０１−ａ及び監視カメラ１の側面部１０１−ｂから構成される。更に、下カバー１０１には、カバー部材１０４が取り付けられる。このカバー部材１０４は、ゴム材等の弾性体により形成されている。
【００２２】
なお、本実施形態における底面部１０１−ａは、設置面とほぼ平行である。また、本実施形態における側面部１０１−ｂは、設置面とほぼ垂直である。
【００２３】
下カバー１０１の底面部１０１−ａには、第１の開口部１０１−ｃが設けられている。この第１の開口部１０１−ｃは、外部インターフェースコネクタ２０３ａを露出させるように形成されている。ここで、本実施形態における外部インターフェースコネクタ２０３−ａは、後述の、ＲＪ４５コネクタ２０３−ａ１、外部デバイス入出力コネクタ２０３−ａ２、音声入出力コネクタ２０３−ａ３から構成される。
【００２４】
底面部１０１−ａには、３つの螺子締め用貫通穴１０１−ｅが形成されている。そして、監視カメラ１は、これら３つの螺子締め用貫通穴１０１−ｅを介し、天井や壁面等の設置面に固定される。また、底面部１０１ａの中央には、三脚用雌螺子穴１０１−ｆが具備されている。この三脚用雌螺子穴１０１−ｆにより、監視カメラ１は、三脚取付アタッチメント等を経由し、天井等の設置面に固定されることもできる。
【００２５】
なお、本実施形態における下ケース１０１及び上ケース１０２は、筐体を構成する。更に、側面部１０１−ｂは、底面部１０１−ａとは異なる。
【００２６】
続いて、図２は、本実施形態に係る、天井等の設置面に設置された状態の監視カメラ１を説明するための図である。ここで、図２（ａ）は、この設置面に設置された状態の監視カメラ１の側面図であり、図２（ｂ）は、監視カメラ１の斜視図である。
【００２７】
図２に示すように、監視カメラ１のカメラ本体は、３つの螺子３０４及び下カバー１０１に３つ形成された螺子締め用貫通穴１０１−ｅにより、天井等の設置面に固定される。また、外部デバイス入出力用ケーブル３０２は、音声検知等の外部センサに接続され、音声入出力用ケーブル３０３は、音声信号を伝送する。そして、ＲＪ４５ケーブル３０５（ＬＡＮケーブル）は、監視カメラ１から出力される映像データ等を伝送する。
【００２８】
ここで、監視カメラ１が設置される設置面は、穴が設けられており、外部デバイス入出力用ケーブル３０２、音声入出力用ケーブル３０３及びＲＪ４５ケーブル３０５は、この穴に挿通される。なお、本実施形態において、外部デバイス入出力用ケーブル３０２、音声入出力用ケーブル３０３及びＲＪ４５ケーブル３０５は、着脱可能な外部ケーブルに相当する。
【００２９】
第二の開口部１０１−ｄは、側面部１０１−ｂに設けられている。この第二の開口部１０１−ｄは、切り欠き部１０１−ｇ、引き出し圧入部１０１−ｈ、不揮発性メモリ等の外部記憶媒体２０２−ａ１、初期化スイッチ２０２−ａ２、及びデバッグコネクタ２０２−ａ３に対向するように形成されている。
【００３０】
ここで、初期化スイッチ２０２−ａ２は、各種設定値を工場出荷状態に戻す為のものである。又、デバッグコネクタ２０２−ａ３は、監視カメラ１内の情報を読み書きする為のものである。更に、外部記憶媒体２０２−ａ１は、監視カメラ１から出力される映像データのバックアップ等の役割を担う。この外部記憶媒体２０２−ａ１としては、ＳＤカード等が用いられる。
【００３１】
なお、第二の開口部１０１−ｄは、外部記憶媒体２０２−ａ１を着脱可能なスロット、初期化スイッチ２０２−ａ２、及びデバッグコネクタ２０２−ａ３を監視カメラ１の外部に露出させる。また、カバー部材１０４は、外部記憶部２０２−ａ１、初期化スイッチ２０２−ａ２及びデバッグコネクタ２０２−ａ３を覆って保護するものである。
【００３２】
これにより、外部記憶媒体２０２−ａ１の装着・交換をユーザが行う際は、監視カメラ１のカメラ本体が設置面に固定された状態で、次のようなことができる。
【００３３】
即ち、カバー部材１０４を、下カバー１０１の切り欠き部１０１−ｇ経由で引き出し圧入部１０１−ｈから固定解除した上で、所定の位置までスライドさせることである。また、下カバー１０１の３つの螺子締め用貫通穴１０１−ｅのそれぞれの周囲には突起部が設けられているので、カバー部材１０４の引き出し及びスライド操作性が向上する。
【００３４】
なお、三脚用螺子穴１０１−ｆの周囲にも突起部が設けられているが、この突起部は、３つの螺子締め用貫通穴１０１−ｅのそれぞれの周囲に設けられた突起部よりも高さが低い。また、１０１−ｉは、ＬＥＤ表示窓である。
【００３５】
続いて、図３及び図４は、本実施形態における監視カメラ１の本体構成を示すための分解斜視図である。ここで、図３及び図４は、本実施形態における監視カメラ１を、それぞれ異なる視点から俯瞰したものである。
【００３６】
図３における第一のプリント基板２０２は、下カバー１０１の底面部１０１ａに対してほぼ平行に配設されている。この第一のプリント基板２０２における下カバー１０１に対向する面とは反対側の面には、高背のＩＣ２０２−ｄ、外部記憶媒体２０２−ａ１を着脱可能なスロット、初期化スイッチ２０２−ａ２、及びデバッグコネクタ２０２−ａ３が実装される。なお、本実施形態におけるＩＣ２０２−ｄは、電源系の回路である。
【００３７】
第二の開口部１０１−ｄは、下カバー１０１の側面部１０１−ｂに設けられている。この第二の開口部１０１−ｄは、前述の外部記憶媒体２０２−ａ１、初期化スイッチ２０２−ａ２、デバッグコネクタ２０２−ａ３に対向するように形成されている。
【００３８】
第二のプリント基板２０３は、第一のプリント基板２０２に対してほぼ垂直に配設される。この第二のプリント基板２０３は、ワイヤーハーネス２０３−ｂを介して第一のプリント基板２０２に電気的に接続されている。ここで、第一、第二のプリント基板２０２、２０３の夫々は、下カバー１０１に対して不図示の螺子等の手段により固定されている。
【００３９】
ベース部材３０１は、パンユニット２０４及びチルトユニット２０５等を含むカメラ内部の主要部材を支持する。本実施形態では、このベース部材３０１は、高剛性の樹脂材料であるものとする。このベース部材３０１には、クランプ部３０１−ａが設けられている。このクランプ部３０１−ａは、電気的接続部２０６の一端を規制保持するものである。
【００４０】
チルトユニット２０５は、レンズ鏡筒１０１を含む。このチルトユニット２０５は、後述するチルト駆動部２０５−ａにより電気的に駆動され、チルト方向に回転する。パンユニット２０４は、チルトユニット２０５を含む。このパンユニット２０４は、後述するパン駆動部２０４−ａにより電気的に駆動され、パン方向に回転する。
【００４１】
なお、本実施形態において、パンユニット２０４、パン駆動部２０４−ａ、チルトユニット２０５、及びチルト駆動部２０５−ａは、レンズ鏡筒２０１を所定の位置に移動させ且つ保持するパンチルト機構に相当する。特に、本実施形態におけるパン駆動部２０４−ａは、パン回転部に相当する。
【００４２】
電気的接続部２０６は、レンズ鏡筒２０１と第一のプリント基板２０２とを電気的に接続するものである。この電気的接続部２０６は、レンズ鏡筒２０１側に具備される不図示のコネクタと第一のプリント基板２０２に具備されるコネクタ２０２−ｂとに接続される。そして、この電気的接続部２０６は、パンチルト動作時に、図３及び図４で示した軸Ｘに対し、略対称に這動する。
【００４３】
なお、本実施形態における電気的接続部２０６は、レンズ鏡筒２０１のパン方向の回転に連れて移動する。また、本実施形態における電気的接続部２０６は、複数の線材を束ねたワイヤーハーネスであるものとする。そして、本実施形態におけるレンズ鏡筒１０１は、被写体を撮像して映像データを出力する撮像部に相当する。
【００４４】
図４における第一のプリント基板２０２の下カバー１０１に対向する面には、低背で比較的消費電力の高い画像処理回路２０２−ｃ、ネットワーク処理回路、及びメモリ等が実装される。また、第二のプリント基板２０３には、ＲＪ４５コネクタ２０３−ａ１、外部デバイス入出力コネクタ２０３−ａ２、及び音声入出力コネクタ２０３−ａ３が実装されている。
【００４５】
第一の開口部１０１−ｃは、第二のプリント基板２０３に実装されたＲＪ４５コネクタ２０３−ａ１、外部デバイス入出力コネクタ２０３−ａ２、及び音声入出力コネクタ２０３−ａ３に対向するように形成されている。これにより、第一の開口部１０１−ｃは、ＲＪ４５コネクタ２０３−ａ１、外部デバイス入出力コネクタ２０３−ａ２、及び音声入出力コネクタ２０３−ａ３等を監視カメラ１の外部に露出させる。
【００４６】
なお、パン駆動部２０４−ａは、パンユニット２０４に含まれる。このパン駆動部２０４−ａは、パンチルト動作を司る。
【００４７】
図３及び図４を用いて上述したように、本実施形態では、第一のプリント基板２０２の下カバー１０１に対向する面に、低背で比較的消費電力の高い電子部品を配設した。その上、本実施形態における下カバー１０１は、放熱性の高いアルミ系の材料としている。これにより、監視カメラ１の外部に効果的に放熱することができるだけでなく、監視カメラ１のカメラ本体の高さ方向の律速を最小化することが可能となる。
【００４８】
続いて、図５は、本実施形態における監視カメラ１の上面図である。この図５では、上カバー１０２及びドームカバー１０３は、省略して示している。図４に示される領域Ｒは、パン駆動部２０４−ａ及びチルト駆動部２０５−ａにより、パンユニット２０４及びチルトユニット２０５がパンチルト動作する際に、電気的接続部２０６が描く可動軌跡である。この可動軌跡は、ベース部材３０１と上カバー１０２に囲まれる領域に包含される。
【００４９】
その上、電気的接続部２０６は、パンユニット２０４がパン方向に回転する際に、第一のプリント基板２０２に対して略平行に移動する。これにより、電気的接続部２０６の可動空間は、監視カメラ１のカメラ本体の高さＨを決定する要素とはならず、このカメラ本体の薄型化に寄与することができる。
【００５０】
領域Ｓは、電気的接続部２０６の可動軌跡外（可動軌跡の範囲外）に形成されている。そして、第二のプリント基板２０３は、この可動軌跡外（つまり、領域Ｓ）に配設されている。その上、第二のプリント基板２０３は、第一のプリント基板２０２（又は下カバー１０１の底面部１０１−ａ）と略垂直となるように配設されている。
【００５１】
続いて、図６は、図５のＡ−Ａ断面図である。図６に示すように、パンユニット２０４の回転中心であるところのパン軸Ｐは、下カバー１０１の底面部１０１−ａに対して略垂直となるように構成されている。また、チルトユニット２０５の回転中心であるところのチルト軸Ｔは、パン軸Ｐに対して略直交するように構成されている。
【００５２】
第二のプリント基板２０３のパン軸Ｐ方向の高さＨ１は、電気的接続部２０６の可動空間の高さＨ２と第一のプリント基板２０２における前述の実装部品を含んだ高さＨ３の和と略同一となるように形成している。更に、前述の第一のプリント基板２０２に実装された高背のＩＣ２０２−ｄは、領域Ｓ内に配設されている。
【００５３】
これにより、監視カメラ１のカメラ本体のスペース効率を最大化しながら、小型薄型化を実現し、尚且つ、ＲＪ４５コネクタ２０３−ａ１を含む複数の外部インターフェースコネクタを内蔵することが可能となる。即ち、小型薄型化と、ケーブルの取り回しを含めた一連の設置作業の容易化とを実現できるものである。
【００５４】
また、本実施形態では、パン軸Ｐと直交する平面に監視カメラ１のカメラ本体を投影した場合に、このカメラ本体の投影面内であるところの底面部に、外部インターフェースコネクタ２０３ａを配設している。その上、螺子等の保持手段により、このカメラ本体を直接設置面に固定する形態である。
【００５５】
これにより、上述の特開２００７−１６６３１２のような、カメラ側取付板金、天井側取付金具、ケーブル収容ケース等が不要となりコストダウンに繋がるだけでなく、ケーブル収納ケースによる監視カメラ装置としての美観損失といった課題もクリアできる。
【００５６】
以上に述べてきたように、本実施形態によれば、監視カメラ１のカメラ本体のスペース効率を最大化し小型化を実現しながら、良好な操作性・設置作業性、並びに設置場所との親和性の両立が実現可能となる。
【００５７】
また、本実施形態では、ＲＪ４５コネクタ２０３−ａ１を含む外部インターフェースコネクタ２０３―ａを、監視カメラ１の底面部１０２−ａから露出させるように構成している。なおかつ、外部記憶媒体２０２−ａ１を、監視カメラ１の側面部１０２−ｂから着脱可能な構成としている。
【００５８】
これにより、パン軸Ｐと直交する平面に監視カメラ１のカメラ本体を投影した場合に、このカメラ本体の投影面内で、外部デバイス入出力用ケーブル３０２、音声入出力用ケーブル３０３、ＲＪ４５ケーブル３０５の配線処理が可能となる。この結果、従来技術に於いて具備されていたケーブル収容ケースが不要となるので、監視カメラとしての良好な美観を確保できる（設置場所との親和性向上）。
【００５９】
また、本実施形態では、ＲＪ４５コネクタ２０３−ａ１を監視カメラ１は内蔵しているので、従来の小型機に於いて主流であったピッグテイル方式と比較し、ケーブルの取り回し含めた一連の設置作業を容易化できるものである。更に、ユーザは、監視カメラ１のカメラ本体を設置面に設置した状態で、このカメラ本体の側面方向から外部記憶媒体２０２−ａ１を装着・交換できるので、従来技術に対し、良好な操作性を提供できる。
【００６０】
なお、上述の実施形態は、パンチルト駆動部を備える前提であるが、駆動部を備えない形態即ちユーザーが手動でパンチルト位置を設定する構成においても有効である。同様に、パンチルト位置調整部を具備することのない、レンズ鏡筒方向が固定された撮像装置に於いても有効であることは言うまでも無い。
【００６１】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００６２】
１  監視カメラ
１０１−ａ  底面部
１０１−ｂ  側面部
１０１−ｃ  第一の開口部
１０１−ｄ  第二の開口部
２０２−ａ１  外部記憶部
２０３  第二のプリント基板
２０３−ａ１  ＲＪ４５コネクタ
３０５  ＲＪ４５ケーブル
【図１】
2014239394.tif 000003
【図２】
2014239394.tif 000004
【図３】
2014239394.tif 000005
【図４】
2014239394.tif 000006
【図５】
2014239394.tif 000007
【図６】
2014239394.tif 000008